(57)【要約】【課題】通帳等の媒体の横幅サイズに合わせて、搬送路上で斜行及び横方向の位置ずれを防ぐ搬送ガイドの取付け位置を容易に調整することができる取引用記録媒体取扱装置を提供する。【解決手段】取引用記録媒体が挿入される取引用記録媒体取扱装置の挿入口９１を構成し、取引用記録媒体取扱装置の筐体の固定位置に取り付けられる第１の挿入口部材と、挿入口９１を構成し、第１の挿入口部材に係合して取引用記録媒体の横幅方向に滑走し、挿入口９１が取引用記録媒体に当接する位置で、第１の挿入口部材に固定される第２の挿入口部材２０とを備え、さらに、挿入口９１に挿入された取引用記録媒体を搬送する搬送路を構成する搬送パネルに係合して取引用記録媒体の横幅方向に滑走し、取引用記録媒体に当接する位置で搬送パネルに固定され、取引用記録媒体の側端部に接触して回転する円柱形の回転体を有する回転部材３０を備える。【選択図】図８
2014238774.tif 000002
【特許請求の範囲】
【請求項１】
取引用記録媒体が挿入される取引用記録媒体取扱装置の挿入口を構成し、取引用記録媒体取扱装置の筐体の固定位置に取り付けられる第１の挿入口部材と、
前記挿入口を構成し、前記第１の挿入口部材に係合して前記取引用記録媒体の横幅方向に滑走し、前記挿入口が前記取引用記録媒体に当接する位置で、前記第１の挿入口部材に固定される第２の挿入口部材と、
前記挿入口に挿入された取引用記録媒体を搬送する搬送路を構成する搬送パネルに係合して前記取引用記録媒体の横幅方向に滑走し、前記取引用記録媒体に当接する位置で前記搬送パネルに固定され、前記取引用記録媒体の側端部に接触して回転する円柱形の回転体を有する回転部材と、
を備えたことを特徴とする取引用記録媒体取扱装置。
【請求項２】
前記回転部材は、前記回転体の底面部が前記搬送パネルの搬送面より低い位置で固定されるとともに、前記取引用記録媒体を前記回転体の上面部より低い位置で通過させる下方誘導ガイドを前記回転部材の上部に備えたことを特徴とする請求項１記載の取引用記録媒体取扱装置。
【請求項３】
前記回転部材は、前記搬送路上に搬送される前記取引用記録媒体に付された磁気情報を読み書きする磁気ユニットの設置位置より前記挿入口に近い位置で、前記回転体と前記取引用記録媒体とが当接するよう、前記搬送パネルに配置されたことを特徴とする請求項１又は２記載の取引用記録媒体取扱装置。
【発明の詳細な説明】
【技術分野】
【０００１】
本発明は、金融機関等で使用される通帳等の取引用記録媒体の磁気情報を読み取り、該取引用記録媒体に取引データ等を印字する機能等を有する取引用記録媒体取扱装置に関する。
【背景技術】
【０００２】
図９は取引用記録媒体取扱装置の構成例を示す。図９において、９１は通帳等の取引用記録媒体（以下、説明を簡明化するために単に「媒体」という）が挿入される挿入口、９２は媒体が搬送される搬送路、９３は媒体を狭持して搬送する搬送ローラ、９４は前部の搬送ローラを駆動する前部ローラ駆動モータ、９５は後部の搬送ローラを駆動する後部ローラ駆動モータ、９６は磁気ユニット、９７は磁気ヘッド、９８はプラテン、９９は印字ヘッドである。
【０００３】
取引用記録媒体取扱装置は、挿入口９１に挿入された媒体を、搬送ローラ９３により搬送路９２上で搬送し、磁気ユニット９６上の磁気ヘッド９７により、媒体に付された磁気ストライプを読取り、媒体の種類等を特定する。そして、搬送ローラ９３により、媒体がプラテン９８上に搬送されたとき、印字ヘッド９９により取引データの明細を媒体に印字して記帳等の処理を行う。
【０００４】
しかし、媒体が取引用記録媒体取扱装置の挿入口９１の正位置に真っ直ぐに挿入されず、斜めに又は横方向にずれた位置で挿入されたりすると、媒体が搬送路９２上で斜行し、又は横方向にずれて搬送される。そうすると、媒体に付された磁気ストライプの情報を正確に読取れなかったり、媒体への印字位置がずれたりするため、媒体の斜行や横方向の位置ずれを防止する機構が設けられている。
【０００５】
その一例として、特許文献１等には、搬送路の両脇に媒体の横幅の長さ分の間隔を空けて、側壁用の固定式ガイド板と可動ガイド板とを搬送方向に沿って設け、該固定式ガイド板と可動ガイド板とに媒体の左右の両側の辺が当接するようにして、斜行及び横方向の位置ずれを防止する構成例が記載されている。
【０００６】
また、特許文献２等には、搬送路の一方の側（例えば左側）に側壁用の固定式ガイド板を設け、該固定式ガイド板から媒体の横幅の長さ分の間隔を空けて、搬送路の他方の側（例えば右側）に幅寄せローラを設け、該幅寄せローラにより媒体を固定式ガイド板に押し付けて、斜行及び横方向の位置ずれを防止する構成例が記載されている。
【先行技術文献】
【特許文献】
【０００７】
【特許文献１】特開平５−２９４５１７号公報
【特許文献２】特開平４−２５１７７０号公報
【発明の概要】
【発明が解決しようとする課題】
【０００８】
銀行等の金融機関で使用される通帳等の媒体は、金融機関毎或いは国毎にサイズが異なり、媒体を取り扱う通帳プリンタ等の取引用記録媒体取扱装置は、種々のサイズの媒体に合わせて、搬送路上での媒体の斜行又は横方向の位置ずれを防止する搬送ガイドを取付けることが要求される。
【０００９】
従来の取引用記録媒体取扱装置では、搬送路上での斜行又は横方向の位置ずれを防止する搬送ガイドの取付けは、取引用記録媒体取扱装置の製造業者における組立て段階で、媒体の横幅サイズに合わせて取付けられていた。
【００１０】
そのため、取引用記録媒体取扱装置の製造業者は、取引用記録媒体取扱装置の納入先の金融機関或いは国毎の種々の媒体の横幅サイズに合わせて、搬送ガイドの取付け位置がそれぞれ異なる取引用記録媒体取扱装置を組立てなければならなかった。
【００１１】
本発明は、一種類の取引用記録媒体取扱装置において、横幅サイズが異なる通帳等の媒体に対して、搬送路上で斜行及び横方向の位置ずれを防ぐ搬送ガイドの取付け位置を、通帳等の媒体の横幅サイズに合わせて容易に調整することができる取引用記録媒体取扱装置を提供することを目的とする。
【課題を解決するための手段】
【００１２】
本発明に係る取引用記録媒体取扱装置は、取引用記録媒体が挿入される取引用記録媒体取扱装置の挿入口を構成し、前記取引用記録媒体取扱装置の筐体の固定位置に取り付けられる第１の挿入口部材と、前記挿入口を構成し、前記第１の挿入口部材に係合して前記取引用記録媒体の横幅方向に滑走し、前記挿入口が前記取引用記録媒体に当接する位置で、前記第１の挿入口部材に固定される第２の挿入口部材と、前記挿入口に挿入された取引用記録媒体を搬送する搬送路を構成する搬送パネルに係合して前記取引用記録媒体の横幅方向に滑走し、前記取引用記録媒体に当接する位置で前記搬送パネルに固定され、前記取引用記録媒体の側端部に接触して回転する円柱形の回転体を有する回転部材と、を備えたものである。
【発明の効果】
【００１３】
本発明によれば、一種類の取引用記録媒体取扱装置において、搬送ガイドの機能を果たす第２の挿入口部材と回転部材とを、通帳等の媒体の横幅サイズに合わせた位置に容易に移動して固定することができる構成としたことにより、横幅サイズが異なる通帳等の媒体に対して、搬送路上で斜行及び横方向の位置ずれを防ぐ搬送ガイドの取付け位置を容易に調整することが可能となる。
【図面の簡単な説明】
【００１４】
【図１】第１及び第２の挿入口部材の斜視図である。
【図２】第２の挿入口部材の平面図及び裏側の斜視図である。
【図３】第１及び第２の挿入口部材の係合状態（幅サイズ大の時）の斜視図である。
【図４】第１及び第２の挿入口部材の係合状態（幅サイズ小の時）の斜視図である。
【図５】搬送パネルに取り付けられた回転部材の斜視図である。
【図６】搬送パネルの裏側の斜視図である。
【図７】回転部材を縦に切断したときの断面図を示す。
【図８】挿入口及び回転部材の設定位置の態様を示す図である。
【図９】取引用記録媒体取扱装置の構成例を示す図である。
【発明を実施するための形態】
【００１５】
以下、本発明の取引用記録媒体取扱装置の実施形態について図面を参照して説明する。図１は本発明による媒体の挿入口を構成する第１及び第２の挿入口部材の斜視図である。図１の（ａ）は、第１及び第２の挿入口部材１０，２０を右側前方から俯瞰した斜視図であり、図１の（ｂ）は、第１及び第２の挿入口部材１０，２０を左側前方から俯瞰した斜視図である。
【００１６】
第１の挿入口部材１０は、取引用記録媒体取扱装置の筐体の固定位置に取り付けられる。第１の挿入口部材１０は、第２の挿入口部材２０が係合して滑走する上部側溝１１及び下部側溝１２を備えている。また、第１の挿入口部材１０は、第２の挿入口部材２０をネジで固着するためのネジ穴１３が上部側溝１１の部分に複数個所に設けられている。
【００１７】
第２の挿入口部材２０は、第１の挿入口部材１０の上部側溝１１及び下部側溝１２に係合して媒体の横幅方向に滑走する。また、第２の挿入口部材２０は、第１の挿入口部材１０の上部側溝１１に係合する上部側係合部２１に、第２の挿入口部材２０を第１の挿入口部材１０にネジで固着するためのネジ止め用貫通溝２２が設けられている。第１の挿入口部材１０は、媒体の挿入口の左端側挿入壁１４を構成し、第２の挿入口部材２０は、媒体の挿入口の右端側挿入壁２３を構成する。
【００１８】
図２は、第２の挿入口部材２０の平面図及び裏側の斜視図を示す。図２の（ａ）は第２の挿入口部材２０を上側から見た平面図であり、図２の（ｂ）は第２の挿入口部材２０の裏側を左側からから見た斜視図であり、図２の（ｃ）は第２の挿入口部材２０の裏側を右側からから見た斜視図である。
【００１９】
図３及び図４は、第１及び第２の挿入口部材１０，２０を係合させ、ネジで固着した態様の斜視図である。図３は横幅のサイズの大きい媒体（通帳等）に対して挿入口９１を調整したときの態様を示し、図３の（ａ）は、挿入口９１を右側前方から俯瞰した斜視図であり、図３の（ｂ）は、挿入口９１を左側前方から俯瞰した斜視図である。図３に示すように、横幅のサイズの大きい媒体に対しては、第２の挿入口部材２０を右方向に寄せた位置で、媒体の横幅に合わせてネジ１５により固着される。
【００２０】
図４は横幅のサイズの小さい媒体（通帳等）に対して挿入口９１を調整したときの態様を示し、図４の（ａ）は、挿入口９１を右側前方から俯瞰した斜視図であり、図４の（ｂ）は、挿入口９１を左側前方から俯瞰した斜視図である。図４に示すように、横幅のサイズの小さい媒体に対しては、第２の挿入口部材２０を左方向に寄せた位置で、媒体の横幅に合わせてネジ１５により固着される。
【００２１】
このように、媒体の挿入口９１を、第１及び第２の挿入口部材１０，２０により構成し、第２の挿入口部材２０が第１の挿入口部材１０に係合して滑走するようにし、第２の挿入口部材２０を任意の位置でネジ１５で固着可能にしたことにより、取引用記録媒体取扱装置の納入先で、第２の挿入口部材２０を媒体の横幅に合わせた位置に移動させてネジ１５で固着し、容易に挿入口９１の横幅を調整することが可能となる。挿入口９１は、媒体の横幅に適合した横幅になるため、挿入される媒体に対して、横方向の位置ずれを防ぐ第１の搬送ガイドを兼ねた挿入口として機能する。
【００２２】
図５乃至図８は、横方向の位置ずれ及び斜行を防ぐ第２の搬送ガイドとして機能する回転部材を示す。図５は搬送パネルに取り付けられた回転部材の斜視図である。図５の（ａ）は、搬送パネルに取り付けられた回転部材を右側前方から俯瞰した斜視図、図５の（ｂ）は、搬送パネルに取り付けられた回転部材を左側前方から俯瞰した斜視図である。
【００２３】
図５に示すように、搬送パネル５１には搬送ローラ９３が備えられ、該搬送ローラ９３により、媒体が搬送される。なお、図５において、搬送パネル５１の下方側に媒体の挿入口が取り付けられ、搬送パネル５１の下方側から上方側に向けて媒体が吸入され搬送される。
【００２４】
搬送パネル５１には、回転部材３０が取付けられ、回転部材３０は、搬送パネル５１の左端側に設けられた図示省略の固定式ガイド板に、搬送された媒体を押し付けて媒体の横方向ずれ及び斜行を防止する。回転部材３０が取付けられる搬送パネル５１の部位には、回転部材３０が、媒体の搬送方向の直角の方向に、即ち、媒体の横幅方向に移動可能なように貫通溝５２が設けられている。回転部材３０は、貫通溝５２を貫通するネジ３１により搬送パネル５１に固着される。
【００２５】
図６は、搬送パネル５１の裏側の斜視図である。図６に示すように、回転部材３０が取付けられる搬送パネル５１の裏側部分には、回転部材３０をネジ３１で固着するためのネジ板３２が取付けられる。回転部材３０は、ネジ３１を緩めることにより、媒体の横幅方向に滑走し、ネジ３１を締め付けることにより、搬送パネル５１に固着される。
【００２６】
図７は、回転部材３０を縦に切断したときの断面図を示す。回転部材３０は。ネジ３１とネジ板３２とにより搬送パネル５１に固着される。ネジ３１を緩めると、ネジ３１は貫通溝５２内の任意の位置に移動可能となり、任意の位置で回転部材３０を固着することが可能となる。回転部材３０は、ネジ３１で固着される回転軸３３との回転摩擦が少なくなるよう、ボールベアリングを介して回転する回転体３４を有する構造とすることができる。
【００２７】
さらに、図５に示すように、回転部材３０の底面部が、搬送パネル５１の搬送面５３より低くなるよう、搬送パネル５１に凹部５４を設け、回転部材３０の回転体３４が凹部５４内で移動可能な構成にすることができる。そして、図５及び図７に示すように、搬送される媒体が、回転部材３０の回転体３４上面部より低い位置で通過するよう、媒体を下方に導く下方誘導ガイド３５を回転部材３０の上部に備える。
【００２８】
下方誘導ガイド３５は、図５の（ｂ）に示すように、断面が台形となる形状とし、該台形の下辺が上辺より短くなる構造にする。そうすることにより、下方誘導ガイド３５の台形部分に、搬送方向に向かって次第に下がっていく傾斜面が形成され、搬送される媒体は、下方誘導ガイド３５の台形部分の傾斜面に突き当たると、該傾斜面に沿って下方に誘導される。
【００２９】
さらに、搬送される媒体が、回転部材３０の回転体３４の底面部より高い位置で通過するよう、媒体を上方に導く上方誘導ガイド３６を回転部材３０の底部に備え、上方誘導ガイド３６とネジ板３２とが係止するようにしてもよい。
【００３０】
上方誘導ガイド３６は、断面が台形となる形状とし、該台形の上辺が下辺より短くなる構造にする。そうすることにより、上方誘導ガイド３６の台形部分に、搬送方向に向かって次第に上がっていく傾斜面が形成され、搬送される媒体は、上方誘導ガイド３６の台形部分の傾斜面に突き当たると、該傾斜面に沿って上方に誘導される。
【００３１】
媒体は、下方誘導ガイド３５と上方誘導ガイド３６との間の間隙内を通過する。下方誘導ガイド３５と上方誘導ガイド３６との間の間隙は、回転部材３０の回転体３４の円柱の側面の中央部分であるので、搬送される媒体は、回転部材３０の回転体３４の円柱側面の中央部分に当接する。そのため、搬送される媒体が回転部材３０の回転体３４の底面部と搬送パネル５１との間のすき間、或いは回転体３４の上面部と上蓋との間のすき間に挟まったりするのを防ぐことができる。
【００３２】
図８は挿入口及び回転部材の設定位置の態様を示す。図８の（ａ）は、第２の挿入口部材２０及び回転部材３０を、横幅サイズの小さい媒体（通帳等）に合わせて左側に寄せて取付けたときの、搬送パネルを真上から見た平面図である。図８の（ｂ）は、第２の挿入口部材２０及び回転部材３０を、横幅サイズの大きい媒体に合わせて右側に寄せて取り付けたときの、搬送パネルを真上から見た平面図である。
【００３３】
図８の（ａ）に示す横幅サイズの小さい媒体に対する態様では、媒体の挿入口９１の横幅Ｗ１として１２８ｍｍ程度とすることができる。また、図８の（ｂ）に示す横幅サイズの大きい媒体に対する態様では、媒体の挿入口９１の横幅Ｗ２として１６０ｍｍ程度とすることができる。
【００３４】
また、回転部材３０は、搬送路９２上に搬送される媒体に付された磁気ストライプによる磁気情報を読み書きする磁気ユニット９６の設置位置より挿入口９１に近い位置で、回転体３４と媒体とが当接するよう、搬送パネル５１に配置する。そうすることにより、挿入口９１に挿入された媒体に対して、直ちに斜行及び横方向の位置ずれを矯正し、斜行及び横方向の位置ずれの無い正位置で磁気情報を読取ることが可能となる。
【００３５】
また、回転部材３０の設置場所は、搬送第１ローラ９３ａと搬送第２ローラ９３ｂの中間位置が望ましい。即ち、媒体の搬送方向において、搬送第１ローラ９３ａと回転部材３０との間の搬送距離Ｌと、搬送第２ローラ９３ｂと回転部材３０との間の搬送距離Ｌとが略等しい位置に回転部材３０を設置するのが望ましい。
【００３６】
媒体が搬送ローラ９３で挟まれている場所では、左右方向に媒体を動かすことができないため、媒体を奥方向又は手前方向に搬送する際に、媒体の先端又は後端の一方が搬送ローラで挟まれていない状態で、回転部材３０により媒体の斜行を修正する。こうすることにより斜行の修正を容易に行うことができる。
【００３７】
第２の挿入口部材２０及び回転部材３０は、搬送パネル５１の図示省略の上蓋を開け、第２の挿入口部材２０及び回転部材３０の上部のネジを緩めて、媒体の横幅方向に移動して媒体の横幅に合った位置でネジを締めることにより、種々の媒体サイズに応じて搬送ガイドの取付け位置を容易に調整して設定することができる。なお、第２の挿入口部材２０及び回転部材３０は、搬送路上で斜行及び横方向の位置ずれを防ぐ搬送ガイドの機能を果たす。
【００３８】
また、搬送ガイドとして、回転部材３０を用いたことにより、板状の搬送ガイドを用いた場合に比べて、媒体と搬送ガイドとの摩擦による磨耗を低減することができ、スムーズな動きにより、斜行及び横方向の位置ずれを防止することが可能となる。
【００３９】
本実施形態の取引用記録媒体取扱装置では、製造業者に依ることなく、納入先の金融機関又は国で、自身の金融機関又は国の通帳等の媒体の横幅サイズに合わせて、搬送路上で斜行及び横方向の位置ずれを防ぐ搬送ガイドの取付け位置を調整することが可能となる。そのため、国内又は国外の金融機関毎にサイズが異なる通帳等の媒体に対して、一種類の取引用記録媒体取扱装置で対応することができ、取引用記録媒体取扱装置の低コスト化を図ることが可能となる。
【００４０】
以上、本発明の取引用記録媒体取扱装置の実施形態について説明したが、本発明は、上述の実施形態に限定されるものではなく、本発明の要旨を逸脱しない範囲内で種々の構成または実施形態を取ることができる。
【符号の説明】
【００４１】
１０  第１の挿入口部材
１１  上部側溝
１２  下部側溝
１３  ネジ穴
１４  左端側挿入壁
１５  ネジ
２０  第２の挿入口部材
２１  上部側係合部
２２  ネジ止め用貫通溝
２３  右端側挿入壁
３０  回転部材
３１  ネジ
３２  ネジ板
３３  回転軸
３４  回転体
３５  下方誘導ガイド
３６  上方誘導ガイド
５１  搬送パネル
５２  貫通溝
５３  搬送面
５４  凹部
９１  挿入口
９２  搬送路
９３  搬送ローラ
９３ａ  搬送第１ローラ
９３ｂ  搬送第２ローラ
９４  前部ローラ駆動モータ
９５  後部ローラ駆動モータ
９６  磁気ユニット
９７  磁気ヘッド
９８  プラテン
９９  印字ヘッド
【図１】
2014238774.tif 000003
【図２】
2014238774.tif 000004
【図３】
2014238774.tif 000005
【図４】
2014238774.tif 000006
【図５】
2014238774.tif 000007
【図６】
2014238774.tif 000008
【図７】
2014238774.tif 000009
【図８】
2014238774.tif 000010
【図９】
2014238774.tif 000011